(57)【要約】本発明は、積立ゲームサービス提供システムに関し、より詳細には、カントリークラブ、スクリーンゴルフゲーム場、パー３ホールなどオフライン上でゴルフ競技を実行するゴルファーがゲームの実行前に各場所に具備されている積立ゲーム機を利用して積立ゲームに参加した後、オフライン上で行われたゴルフ競技でホールインワン、アルバトロス、サイクリングバーディー、イーグルなどのイベントを達成した場合、このような各イベントにあらかじめ割り当てられている積立金をゲームを実行した各ゴルファーに分配することによって、ゴルフゲームに対する興味を倍加させることができるようにしたオフライン上のゴルフ競技を利用した積立ゲームサービス提供システムに関する。
2014527220.tif 000002
【特許請求の範囲】
【請求項１】
ゴルフ競技が実行される場所に設置されており、積立ゲームを実行しようとするユーザがゴルフ競技の結果を記録することができるゲーム認証書を発行する積立ゲーム機と；
通信網上で前記積立ゲーム機に連結され、ユーザが当該積立ゲーム機を通じて積立した積立金の累積額を演算する累積積立金演算サーバーと；
前記積立ゲーム機で発行されるゲーム認証書に記載される固有番号を生成して伝送し、オフライン上で行われたゴルフ競技の結果を受信し、積立金支給のためのイベントの発生可否を判断するゲーム認証管理サーバーと；
前記ゲーム認証管理サーバーでイベントが発生したものと判断されれば、積立ゲーム機に累積している積立金を支給し、当該積立ゲーム機の累積積立金を初期化する累積積立金精算サーバーと；
積立金支給のためのゲームイベントと各ゲームイベント発生に対して支給する積立金の比率をイベント別に差等的に設定するゲーム設定サーバーと；を含んで構成されることを特徴とするオフライン上のゴルフ競技を利用した積立ゲームサービス提供システム。
【請求項２】
前記積立ゲーム機は、
ゴルファーが実行しようとするゴルフ競技を選択するゲーム選択部と；
前記ゲーム選択部で選択されたゴルフ競技の種類によって投入する少額の基本積立金を受信する積立金受信部と；
前記ゴルフ競技を実行するゴルファーの個人認証のための人的情報を受信するゴルファー認証部と；
前記基本積立金を投入したゴルファーがオフライン上で行うゴルフ競技の結果を記載するように固有番号を付与したゲーム認証書を発給するゲーム認証書発給部と；
通信網上でデータ送受信のために積立ゲームサーバーに連結され、通信路を形成する積立ゲームサーバー接続部と；を含んで構成されることを特徴とする請求項１に記載のオフライン上のゴルフ競技を利用した積立ゲームサービス提供システム。
【請求項３】
前記ゲーム認証書発給部は、前記ゴルファー認証部を通じて入力されたゴルファーの認証情報にマッチされている積立ゲームの固有番号と、ゴルフ競技が行われる日付けと時間、前記ゲーム選択部で選択されたゴルフ競技の種類と、後日ゴルファーを認証するための認証情報と、ゴルフ競技の結果及びイベント発生可否を記載することができる結果記載欄が印刷されているゲーム認証書を印刷して出力するプリンターを含んで構成されることを特徴とする請求項２に記載のオフライン上のゴルフ競技を利用した積立ゲームサービス提供システム。
【請求項４】
前記固有番号は、前記ゴルファーの認証情報と前記積立ゲーム機の識別番号が一緒にマッチされて格納されるように構成されることを特徴とする請求項３に記載のオフライン上のゴルフ競技を利用した積立ゲームサービス提供システム。
【請求項５】
前記累積積立金演算サーバーは、
前記積立ゲームサーバー接続部に連結され、前記積立金受信部に投入される基本積立金の投入信号を通信網上で受信し、当該積立ゲーム機に積立された累積積立金を更新して格納する積立金演算部と；
前記積立ゲーム機別に積立された累積積立金に該当する金額を金融機関に伝送して委託する金融機関接続部と；を含んで構成されることを特徴とする請求項３に記載のオフライン上のゴルフ競技を利用した積立ゲームサービス提供システム。
【請求項６】
前記各積立ゲーム機では、当該積立金演算部に投入される基本積立金が付加された累積積立金を自体的に演算し、リアルタイムで増加させ、前記積立金演算部では、一定時間単位または日単位で前記積立ゲーム機に投入された積立金の全体投入信号を受信し、当該積立ゲーム機に投入された全体累積積立金を演算して更新するように構成されることを特徴とする請求項５に記載のオフライン上のゴルフ競技を利用した積立ゲームサービス提供システム。
【請求項７】
前記積立金演算部で各積立ゲーム機別に更新させた累積積立金の現況による順位をサービス事業者が管理するホームページを通じて通信網上で確認することができるように構成されることを特徴とする請求項６に記載のオフライン上のゴルフ競技を利用した積立ゲームサービス提供システム。
【請求項８】
前記ゲーム認証管理サーバーは、
前記積立ゲーム機で選択されるゴルフ競技を通じて行われる特定の積立ゲームを他のゴルフ競技によって行われる他の積立ゲームと識別することができる固有番号を生成し、各積立ゲーム機に伝送する固有番号生成部と；前記固有番号が付与されて発給されたゲーム認証書に記載されたゴルフ競技の結果を受信し、積立ゲームで設定されたイベントの達成可否を判断するゲーム結果受信部と；を含んで構成されることを特徴とする請求項５に記載のオフライン上のゴルフ競技を利用した積立ゲームサービス提供システム。
【発明の詳細な説明】
【技術分野】
【０００１】
本発明は、積立ゲームサービス提供システムに関し、より詳細には、カントリークラブ、スクリーンゴルフゲーム場、パー３ホールなどオフライン上でゴルフ競技を行うゴルファーがゲームの実行前に各場所に具備されている積立ゲーム機を利用して積立ゲームに参加した後、オフライン上で行われたゴルフ競技でホールインワン、アルバトロス、サイクリングバーディー、イーグルなどのイベントを達成した場合、このような各イベントにあらかじめ割り当てられている積立金を、ゲームを実行した各ゴルファーに分配することによって、ゴルフゲームに対する興味を倍加させることができるようにしたオフライン上のゴルフ競技を利用した積立ゲームサービス提供システムに関する。
【背景技術】
【０００２】
近年、ゴルフに対する関心が増加するに伴い、ゴルフ練習場とスクリーンゴルフなどがあちこちに多く設置され、多くの費用と時間をかかることなく、ゴルフを容易に楽しむことができるようになった。
【０００３】
これにより、ゴルフ競技自体の興味と魅力によって、市の外郭にある様々なカントリークラブだけでなく、都市に開設される様々なスクリーンゴルフ場を利用して一日にも何回ずつ９ホールまたは１８ホールのゴルフ競技が行われている。
【０００４】
このように数回行われるゴルフ競技を実行するゴルファーは、ゲームの興味を増加させるために食事などの賭または競技費用の支払いなどの賭を追加する場合が頻繁に起きる。
【０００５】
しかし、ゴルフ競技を実行するゴルファーの間に行われる賭は、当該競技で結果が発生しなければならないので、ゲームの勝敗に重点を置くようになる場合が多かったので、勝負に敗れたゴルファーの気持ちが良くない場合が頻繁に発生するようになり、過度な賭に起因して、金銭的な損失も無視することができない水準に至るなど、勝敗自体に執着することによる問題点が発生した。
【０００６】
これにより、勝敗に関係なく、勝者と敗者がすべてゴルフ競技自体を楽しむことができ、ホールインワンなどが行われた場合、すべて楽しく祝うことができる新しい類型のゲームが要請されている。
【０００７】
また、従来のゴルフ競技は、同一の場所で行われる様々なゴルフ競技相互間が個別的に実行され、個別的に補償されるので、一回的な勝負に終わる場合が多くて、過度に勝負に執着するようになり、ゴルフ競技の楽しさを逃しやすい問題点があった。
【０００８】
また、従来、大韓民国特許公開公報１０−２００６−００２７３９６号（有無線インターネットまたはユビキタスを利用したゴルフ事業方法及びその運営システムと格納媒体）のように、ゴルフ競技自体の運営にのみ重点を置く先行技術が提案されたことがある。しかし、このような従来の先行技術は、特定ゴルファーの間に行われるゴルフ競技の勝敗にのみ関心を持つようになることを脱しない問題点があった。
【０００９】
したがって、従来のゴルフ競技は、オフライン上でゴルファーが様々な競技を行うが、このような様々な競技で得られる結果が個別的に判断され、個別的に補償されるだけなので、当該スクリーンゴルフ場やカントリークラブで行われる他のゴルフ競技に参加したゴルファー相互間にも共通的に適用され、相互実力を競いながらゲームの興味を倍加させることができるようにオフライン上のゴルフ競技に結合されることができる新しい形式のゲームが要請されている。
【発明の概要】
【発明が解決しようとする課題】
【００１０】
本発明の目的は、カントリークラブ、スクリーンゴルフゲーム場、パー３ホールなどオフライン上でゴルフ競技を行うゴルファーがゲームの実行前に各場所に具備されている積立ゲーム機を利用して積立ゲームに参加した後、オフライン上で実行されたゴルフ競技でホールインワン、アルバトロス、サイクリングバーディー、イーグルなどのイベントを達成した場合、このような各イベントにあらかじめ割り当てられている積立金を、ゲームを実行した各ゴルファーに分配することによって、ゴルフゲームに対する興味を倍加させることができるようにしたオフライン上のゴルフ競技を利用した積立ゲームサービス提供システムを提供することにある。  
【課題を解決するための手段】
【００１１】
上記目的を達成するためのオフライン上のゴルフ競技を利用した積立ゲームサービス提供システムは、ゴルフ競技が実行される場所に設置されており、積立ゲームを実行しようとするユーザがゴルフ競技の結果を記録することができるゲーム認証書を発行する積立ゲーム機と；通信網上で前記積立ゲーム機に連結され、ユーザが当該積立ゲーム機を通じて積立した積立金の累積額を演算する累積積立金演算サーバーと；前記積立ゲーム機で発行されるゲーム認証書に記載される固有番号を生成して伝送し、オフライン上で行われたゴルフ競技の結果を受信し、積立金支給のためのイベントの発生可否を判断するゲーム認証管理サーバーと；前記ゲーム認証管理サーバーでイベントが発生したものと判断されれば、積立ゲーム機に累積している積立金を支給し、当該積立ゲーム機の累積積立金を初期化する累積積立金精算サーバーと；積立金支給のためのゲームイベントと各ゲームイベント発生に対して支給する積立金の比率をイベント別に差等的に設定するゲーム設定サーバーと；を含んで構成されることを特徴とする。
【００１２】
この際、前記積立ゲーム機は、ゴルファーが実行しようとするゴルフ競技を選択するゲーム選択部と；前記ゲーム選択部で選択されたゴルフ競技の種類によって投入する少額の基本積立金を受信する積立金受信部と；前記ゴルフ競技を実行するゴルファーの個人認証のための人的情報を受信するゴルファー認証部と；前記基本積立金を投入したゴルファーがオフライン上で実行するゴルフ競技の結果を記載することができるように固有番号を付与したゲーム認証書を発給するゲーム認証書発給部と；通信網上でデータ送受信のために積立ゲームサーバーに連結され、通信路を形成する積立ゲームサーバー接続部と；を含んで構成されることを特徴とする。
【００１３】
また、前記ゲーム認証書発給部は前記ゴルファー認証部を通じて入力されたゴルファーの認証情報にマッチされている積立ゲームの固有番号と、ゴルフ競技が行われる日付けと時間、前記ゲーム選択部で選択されたゴルフ競技の種類と、後日ゴルファーを認証するための認証情報と、ゴルフ競技の結果及びイベント発生可否を記載することができる結果記載欄が印刷されているゲーム認証書を印刷して出力するプリンターを含んで構成されることが好ましい。
【００１４】
また、前記累積積立金演算サーバーは、前記積立ゲームサーバー接続部に連結され、前記積立金受信部に投入される基本積立金の投入信号を通信網上で受信し、当該積立ゲーム機に積立された累積積立金を更新して格納する積立金演算部と；前記積立ゲーム機別に積立された累積積立金に該当する金額を金融機関に伝送して委託する金融機関接続部と；を含んで構成されることを特徴とする。
【００１５】
また、前記ゲーム認証管理サーバーは、前記積立ゲーム機で選択されるゴルフ競技を通じて行われる特定積立ゲームを他のゴルフ競技によって行われる他の積立ゲームと識別することができる固有番号を生成し、各積立ゲーム機に伝送する固有番号生成部と；前記固有番号が付与されて発給されたゲーム認証書に記載されたゴルフ競技の結果を受信し、積立ゲームで設定されたイベントの達成可否を判断するゲーム結果受信部と；を含んで構成されることを特徴とする。
【発明の効果】
【００１６】
本発明は、オフライン上で行われるゴルフ競技に少ない費用の基本積立金を投入することによって、ゴルフ競技の勝敗にかかわらず、ホールインワンなどゴルフ競技時に間歇的に発生するイベントに対する補償を付与することによって、賭ゴルフのような射倖的な側面を減少させることができると共に、ゴルフ競技に対する興味を倍加させることができるという長所がある。
【図面の簡単な説明】
【００１７】
【図１】本発明によるオフライン上のゴルフ競技を利用した積立ゲームサービス提供システムのシステム構成図である。
【図２】本発明によるオフライン上のゴルフ競技を利用した積立ゲームサービス提供システムのブロック構成図である。
【発明を実施するための形態】
【００１８】
以下では、本発明の具体的な実施例を図面を参照して詳しく説明する。
図１は、本発明によるオフライン上のゴルフ競技を利用した積立ゲームサービス提供システムのシステム構成図であり、図２は、本発明によるオフライン上のゴルフ競技を利用した積立ゲームサービス提供システムのブロック構成図である。
【００１９】
図１及び図２を参照すれば、本発明によるオフライン上のゴルフ競技を利用した積立ゲームサービス提供システムは、ゴルフ競技が実行される場所に設置されており、積立ゲームを実行しようとするユーザがゴルフ競技の結果を記録することができるゲーム認証書を発行する積立ゲーム機１００と、通信網上で前記積立ゲーム機に連結され、ユーザが当該積立ゲーム機を通じて積立した積立金の累積額を演算する累積積立金演算サーバー２００と、前記積立ゲーム機で発行されるゲーム認証書に記載される固有番号を生成して伝送し、ゴルフ競技の結果を受信し、積立金支給のためのイベントの発生可否を判断するゲーム認証管理サーバー３００と、前記ゲーム認証管理サーバーでイベントが発生したものと判断されたユーザに積立ゲーム機に累積している積立金を支給し、当該積立ゲーム機の累積積立金を初期化する累積積立金精算サーバー４００と、積立金支給のためのホールインワンなどのゲームイベントと各ゲームイベント発生に対して支給する積立金の比率をイベント別に差等的に設定するゲーム設定サーバー５００とを含んで構成される。
【００２０】
この際、前記積立ゲーム機１００は、スクリーンゴルフ場やカントリークラブのようにオフライン上のゴルフ競技が行われる多数の場所に分散設置され、前記累積積立金演算サーバー２００とゲーム認証管理サーバー３００と累積積立金精算サーバー４００及びゲーム設定サーバー５００は、積立ゲームサービスを提供するサービス事業者のメインサーバーである積立ゲームサーバーＳに設置される。図１では、スクリーンゴルフ場に設置された積立ゲーム機は、Ｓ０００１、Ｓ０００２、Ｓ０００３、Ｓ０００４のような識別番号で表示し、カントリークラブに設置された積立ゲーム機は、Ｃ０００１、Ｃ０００２のような識別番号で表示し、パー３ホールに設置された積立ゲーム機は、Ｐ０００１のような識別番号で表示した。
【００２１】
また、様々な地域に分散設置された積立ゲーム機１００（Ｃ０００１、Ｃ０００２）は、積立ゲームユーザの積立内訳を伝送し、累積積立金に対する情報を前記積立ゲームサーバーＳから受信して表出することができるように通信網を通じて前記積立ゲームサーバーＳに連結されるように構成される。
【００２２】
前記積立ゲーム機１００は、ゴルファーが実行しようとするゴルフ競技を選択するゲーム選択部１１０と、前記ゲーム選択部で選択されたゴルフ競技の種類によって投入する少額の基本積立金を受信する積立金受信部１２０と、前記ゴルフ競技を行うゴルファーの個人認証のための人的情報を受信するゴルファー認証部１３０と、前記基本積立金を投入したゴルファーがオフライン上で実行するゴルフ競技の結果を記載することができるように固有番号を付与したゲーム認証書を発給するゲーム認証書発給部１４０と、通信網上でデータ送受信のために前記積立ゲームサーバーに連結され、通信路を形成する積立ゲームサーバー接続部１５０とを含んで構成される。
【００２３】
前記ゲーム選択部１１０は、スクリーンゴルフ場やカントリークラブで実行しようとするゴルフ競技が２〜４人が各々競う個人戦であるか、それとも、多くの人が一緒にチームを編成しながら実行するチーム戦であるか選択することができるようにした選択ボタンを含んで構成される。
【００２４】
このように前記ゲーム選択部１１０で選択されたゲームの種類によって、各個人ごとに基本積立金を投入するか、それとも、ゴルフ競技が行われるチームごとに基本積立金を投入することによって、差別化させることができる。
【００２５】
また、このように前記ゲーム選択部１１０で選択されたゴルフ競技の種類によって前記ゲーム認証書発給部１４０で出力されるゲーム認証書が各ゴルフ競技に適合するように記録することができる形態に発給されることができるようになる。
【００２６】
前記積立金受信部１２０は、オフラインで実行される各ゴルフ競技に対してゴルファーが投入する少額の基本積立金を受領し、別途の格納空間に格納し、このように格納した基本積立金の投入事項を前記ゲーム認証書に付与された固有番号と前記積立ゲーム機の識別番号に一緒にマッチさせた後、通信網を通じて前記累積積立金演算サーバー２００に伝送するように構成される。
【００２７】
この際、前記積立金受信部１２０に投入される基本積立金は、任意に設定することができるが、オフライン上で行われる主なゲームであるゴルフ競技に付随して競技の興味を倍加させるための付随的なゲームであることを考慮するとき、１つのゴルフ競技に参加する１人のゴルファーごとに１０００ウォンまたは２０００ウォン程度の少額に設定することが好ましい。
【００２８】
また、前記ゴルファー認証部１３０は、前記積立金受信部を通じて積立金を投入し、ゴルフ競技を行うユーザ本人を確認することができる認証情報を入力されて、前記ゲーム認証書に付与された固有番号とともに格納するように構成される。この際、前記ユーザ本人を確認することができる認証情報は、住民登録番号を入力して格納するように構成されることができるが、これに制限されず、携帯電話番号など多様な本人認証手段が利用されることができることは勿論である。
【００２９】
前記ゲーム認証書発給部１４０は、前記ゴルファー認証部１３０を通じて入力されたゴルファーの認証情報にマッチされている積立ゲームの固有番号と、ゴルフ競技が行われる日付けと時間、ゴルファーが前記ゲーム選択部を操作して選択したゴルフ競技の種類と、後日ゴルファーを認証するための認証情報と、ゴルフ競技の結果及びイベント発生可否を記載することができる結果記載欄が印刷されているゲーム認証書を印刷して出力するプリンターを含んで構成される。
【００３０】
この際、前記ゲーム認証書には、ゴルフ競技を実行したユーザがゴルフ競技の結果を記載した後、署名することができる確認署名欄と、ゴルフ競技がカントリークラブで行われた場合、ゴルフ競技を観戦したキャデーがゴルフ競技の結果を確認したことを記載することができるキャデー署名欄がさらに印刷されるように構成されることが好ましい。
【００３１】
このように前記ゲーム認証書発給部１４０から出力されたゲーム認証書にゴルフ競技の結果及びホールインワン、アルバトロスまたはイーグルのように、ゴルフ中に発生するイベントを記載した後、イベントの発生事実を前記積立ゲームサービス事業者に通知し、署名と認証情報を通じて本人を確認し、イベント発生による積立金を一定の比率で分配されることができるようになる。
【００３２】
また、前記積立ゲームサーバー接続部１５０は、通信網上で前記積立ゲームサーバーＳに連結され、前記積立金受信部を通じて投入された積立金と、ゴルフ競技を実行するゴルファーの住民登録番号など認証情報を前記積立ゲームサーバーＳにリアルタイム伝送することができるゲートウェイを形成するように構成される。
【００３３】
この際、前記積立ゲームサーバー接続部１５０は、前記積立ゲームサーバーＳから当該積立ゲーム機を利用した積立ゲームによって積立された累積積立金と、他の積立ゲーム機に累積している累積積立金などに対する情報を持続的に受信し、前記積立ゲーム機１００に具備されたディスプレイパネルに表出させるように構成されることが好ましい。
【００３４】
また、前記積立ゲームサーバー接続部１５０は、積立ゲームユーザのゲーム選択信号と積立金投入信号及びゴルファーの認証情報を前記ゲーム認証管理サーバー３００に伝送し、前記ゲーム認証管理サーバー３００で生成される積立ゲームの固有番号を受信し、前記ゲーム認証書発給部１４０で出力することができるように構成される。
【００３５】
したがって、前記ゲーム認証管理サーバー３００から受信される固有番号には、前記積立ゲームサーバー接続部を通じて伝送されたゴルファーの認証情報と前記積立ゲーム機の識別番号が一緒にマッチされている。
【００３６】
また、前記積立ゲーム機には、累積積立金に関する情報を表出することができるディスプレイパネルと、多様な広告内容が付着されることができる広告パネルがさらに具備されることが好ましい。
【００３７】
前記累積積立金演算サーバー２００は、前記積立ゲームサーバー接続部１５０に連結され、前記積立金受信部１２０に投入される基本積立金の投入信号を通信網上で受信し、当該積立ゲーム機に積立された累積積立金を更新して格納する積立金演算部２１０と、前記積立ゲーム機別に積立された累積積立金に該当する金額を金融機関に伝送して委託する金融機関接続部２２０とを含んで構成される。
【００３８】
この際、前記積立金演算部２１０は、前記積立ゲーム機に具備された積立金受信部１２０に基本積立金が投入される度に、基本積立金の投入信号を受信し、当該積立ゲーム機に対する累積積立金を更新するように構成されることができる。また、前記各積立ゲーム機１００では、当該積立金受信部に投入される基本積立金が付加された累積積立金を自体的に演算して増加させるが、前記積立金演算部２１０では、一定時間単位または日単位で前記積立ゲーム機に投入された積立金の投入信号を受信し、当該積立ゲーム機に投入された全体累積積立金を演算して更新するように構成されることもできる。
【００３９】
このように前記積立金演算部２１０で各積立ゲーム機別に更新させた累積積立金の現況による順位をサービス事業者が管理するホームページを通じて通信網上で確認するように構成されることができる。
【００４０】
また、前記金融機関接続部２２０は、銀行、農協または郵便局または銀行の金融サーバーに接続され、各積立ゲーム機に投入された累積積立金に該当する金額を金融機関に伝送して委託するように構成され、積立金分配のために設定されているホールインワンやアルバトロス、サイクリングバーディーまたはイーグルなどのイベントが発生するまで累積積立金を安全に長期間保管することができ、後日イベント発生による配当金支給時に支給の確実性を具現することができるようになる。
【００４１】
この際、後日イベント発生時に積立ゲーム機別に安定的な分配が行われることができるように、前記金融機関に委託保管される累積積立金は、各積立ゲーム機別に分離して保管することが好ましい。
【００４２】
前記ゲーム認証管理サーバー３００は、前記積立ゲーム機１００で選択されるゴルフ競技を通じて行われる特定の積立ゲームを他のゴルフ競技によって行われる他の積立ゲームと識別することができる固有番号を生成し、各積立ゲーム機１００に伝送する固有番号生成部３１０と、前記固有番号が付与されて発給されたゲーム認証書に記載されたゴルフ競技の結果を受信し、積立ゲームで設定されたイベントの達成可否を判断するゲーム結果受信部３２０とを含んで構成される。
【００４３】
この際、前記固有番号生成部３１０で生成される固有番号は、積立ゲーム機及び各積立ゲーム機で行われるゴルフ競技にすべて異なる番号を付与するように構成されなければならないことは勿論であり、その一例として、ゴルフ競技が行われる場所を示すＣ（カントリークラブ）、Ｓ（スクリーンゴルフ場）、パー３ホール（Ｐ）のような文字と、前記カントリークラブやスクリーンゴルフ場に設置された複数の積立ゲーム機の識別番号と、当該積立ゲーム機で発行されるゲーム認証書の発行順序を示す番号を相互組み合わせて、Ｃ０００１−０００１やＳ０００１−０００１またはＰ０００１−０００１のように生成するように構成されることができる。しかし、前記固有番号生成部で生成される固有番号がこのような例示に制限されず、多様に行われることができることは勿論である。
【００４４】
また、前記固有番号生成部３１０は、各積立ゲーム機１００からゲーム選択信号が入力される度に、新しい固有番号を生成して伝送するように構成されることができることは勿論であり、前記固有番号生成部３１０では、場所を示す文字と各積立ゲーム機の識別番号のみを付与し、各積立ゲーム機に具備されたゲーム認証書発給部１４０でゲーム認証書の発行順序を順次に番号化して付与した後、このように行われた固有番号を前記固有番号生成部３１０に伝送し、格納するように構成されることもできる。
【００４５】
前記ゲーム結果受信部３２０は、前記ゲーム認証書に記載されるゴルフ競技の結果によってイベントの達成可否を確認し、積立金の分配可否を判断した後、イベントを達成した積立ゲームのゲーム認証書に記載されているユーザに一定比率の積立金を分配するように構成される。
【００４６】
この際、前記ゲーム結果受信部３２０は、同一の積立ゲーム機を利用して積立ゲームに参加してゴルフ競技を実行したユーザのみを対象としてイベントの達成可否を判断するように構成されることができることは勿論であり、前記積立ゲームサーバーＳに登録されているすべての積立ゲーム機を利用して積立ゲームに参加した後、ゴルフ競技を実行したユーザすべてを対象としてイベントの達成可否を判断するように構成されることもできる。
【００４７】
また、前記ゲーム結果受信部３２０は、スクリーンゴルフ場に設置された積立ゲーム機だけのグループに属するゴルフ競技のうちイベントの達成可否を判断し、カントリークラブに設置された積立ゲーム機だけのグループに属するゴルフ競技のうちイベントの達成可否を判断するなど同一の条件で実行されるゴルフ競技のうちイベントの達成可否を判断するように構成されることもできる。
【００４８】
また、前記ゲーム結果受信部３２０は、積立ゲームに参加した後、ゴルフ競技が完了する前に他人によってイベントが達成されることによって累積積立金が初期化されることを防止することができるように、一定時間、例えば日単位または週単位で行われたすべてのゴルフ競技を対象としてイベントの発生可否を判断するように構成されることが好ましい。
【００４９】
このように日単位または週単位で行われるすべてのゴルフ競技でもイベントが発生しない場合には、累積積立金がそのまま累積され、後日イベント発生時より多い累積積立金を受領することができることは勿論である。
【００５０】
前記累積積立金精算サーバー４００は、前記ゲーム認証管理サーバーでイベントが発生したものと判断された場合、当該積立ゲーム機１００に累積されている積立金を、当該ゲーム認証書を有しており且つ個人認証情報が一致するユーザに支給した後、当該積立ゲーム機１００に累積している累積積立金を初期化するように構成される。
【００５１】
この際、前記累積積立金精算サーバー４００は、各積立ゲーム機に累積される累積積立金を０ウォンに初期化することができることはもちろん、初期化して初めて積立ゲームに参加するユーザの興味を増加させることができるように初期化された累積積立金を１０万ウォンや２０万ウォンのように多様に設定するように構成されることもできる。
【００５２】
また、前記累積積立金精算サーバー４００は、イベントが発生した積立ゲーム機の識別番号によって前記累積積立金演算サーバーに格納されている累積積立金を初期化し、このように初期化された累積積立金情報を前記積立ゲーム機と金融機関サーバーに伝送し、一緒に初期化させるように構成されることが好ましい。
【００５３】
前記ゲーム設定サーバー５００は、ゴルフ競技の結果によって積立金を支給するためのイベントを設定して格納するように構成される。この際、前記ゲーム設定サーバー５００は、多数のゴルファーが互いに異なるゴルフゲームを実行しながらも、同一の条件下で積立ゲームに参加することができるように、単純な勝敗ではなく、ホールインワン、アルバトロス、サイクルリングバーディーまたはイーグルのように、ゴルファー個人がオフライン上のゴルフゲーム中に達成することができるイベントを設定することが好ましい。また、前記ゲーム設定サーバーは、各イベントに対する達成可能性によって累積積立金の分配比率を相異に設定するように構成されることが好ましい。
【００５４】
次には、このように構成された本発明にオフライン上のゴルフ競技を利用した積立ゲームサービス提供システムを利用して積立ゲームを実行することを説明する。
【００５５】
まず、ゴルフ競技を実行しようとするゴルファーがスクリーンゴルフ場やカントリークラブを訪問したり予約するに際して、積立ゲーム機１００が設置された所では、ゴルフ競技とともに積立ゲームを実行することができる利点があるので、一般ゴルファーがブッキングをするにあたって、積立ゲーム機が設置されていない一般ゴルフ場より好むようになる。
【００５６】
その後、ゴルファーは、ゴルフ競技を実行する前に、積立ゲーム機に具備されたゲーム選択部１１０を操作し、個人戦またはチーム戦などオフライン上で実行するゴルフ競技の種類を選択し、ゴルフ競技に参加するゴルファーの数字を入力する。
【００５７】
そして、人数に相当する基本積立金（例えば、１人当り１０００ウォン）を前記積立ゲーム機に具備された積立金受信部１２０に投入し、オフライン上のゴルフ競技に参加するゴルファーの住民登録番号または携帯電話番号など後日個人識別が可能な認証情報を入力すれば、前記積立ゲーム機に具備されたゴルファー認証部１３０でこれを受信した後、ゲーム認証管理サーバー３００から受信した固有番号に前記ゴルファーの認証情報と積立ゲーム機の識別番号をマッチさせた後、格納する。
【００５８】
また、本発明による積立ゲームサービスにあらかじめ会員加入した後、一定金額の基本積立金を先決済した場合には、会員加入時に入力したＩＤとパスワードの入力だけで１回の基本積立金が自動引き出しされながら積立ゲームに参加することができるように構成されることもできることは勿論である。この際、前記基本積立金が自動引き出されるだけでなく、個人を識別することができる認証情報が固有番号と識別番号に自動にマッチされるように構成されることができる。
【００５９】
この際、前記積立ゲーム機に具備された積立ゲームサーバー接続部１５０は、通信網を通じて前記固有番号と認証情報及び識別番号を一緒に前記累積積立金演算サーバー２００とゲーム認証管理サーバー３００に伝送し、当該固有番号が付与された積立ゲームの関連情報として格納する。
【００６０】
そして、前記積立ゲーム機に具備されたゲーム認証書発給部１４０では、前記固有番号と識別番号及び認証情報、日付と時間、ゴルフ競技種類とゴルフ競技結果記載欄などが印刷されたゲーム認証書を発給する。
【００６１】
ゴルファーは、前記ゲーム認証書を持ってオフライン上でゴルフ競技を実行し、ゴルフ競技を実行しながら発生する打数、ホールインワン、アルバトロス、サイクリングバーディー、イーグルなどのイベント発生可否を一緒に記載する。
【００６２】
そして、このように記載されたゴルフ競技の記録は、スクリーンゴルフ場の場合、売場を管理する管理者の確認を受け、カントリークラブの場合、ゴルフ競技を一緒に見守ったキャデーの確認を受けた後、イベントの発生可否を前記ゲーム認証管理サーバーに伝送する。
【００６３】
前記ゲーム認証管理サーバー３００は、前記ゲーム認証書に記載されたゴルフ競技の結果に基づいてホールインワン、アルバトロス、サイクリングバーディー、イーグルなどのイベント発生可否を確認し、イベントの発生が確認されれば、ゲーム設定サーバーで設定した比率による累積積立金を当該積立ゲームのユーザであるゴルファーに支給する。
【００６４】
このように累積積立金の支給が完了した後には、累積積立金精算サーバー４００で当該積立ゲーム機に累積された積立金を初期化することによって、次の積立ゲームが行われることができるようにする。
【００６５】
このようにオフライン上で行われるゴルフ競技に少ない費用の基本積立金を投入することによって、ゴルフ競技の勝敗にかかわらず、ホールインワンなどゴルフ競技時に間歇的に発生するイベントに対する補償を付与することによって、賭ゴルフのような射倖的な側面を減少させることができると共に、ゴルフ競技に対する興味を倍加させることができる。
【００６６】
以上では、本発明に対する技術思想を添付の図面とともに記述したが、これは、本発明の好ましい実施例を例示的に説明したものであって、本発明を限定するものではない。また、本発明の属する技術分野における通常の知識を有する者ならだれでも本発明の技術的思想の範疇を離脱しない範囲内で多様な変形及び模倣が可能であることは明白な事実である。
【符号の説明】
【００６７】
１００  積立ゲーム機
１１０  ゲーム選択部
１２０  積立金受信部
１３０  ゴルファー認証部
１４０  ゲーム認証書発給部
１５０  積立ゲームサーバー接続部
２００  累積積立金演算サーバー
２１０  積立金演算部
２２０  金融機関接続部
３００  ゲーム認証管理サーバー
３１０  固有番号生成部
３２０  ゲーム結果受信部
４００  累積積立金精算サーバー
５００  ゲーム設定サーバー
【図１】
2014527220.tif 000003
【図２】
2014527220.tif 000004
【国際調査報告】
2014527220.tif 000005
2014527220.tif 000006
2014527220.tif 000007
2014527220.tif 000008